(57)【要約】【課題】任意の大きさ及び平面形状を有し、しかも防水性にも優れた排水トラップ付き床を構築することができる床構造を提供する。【解決手段】防水床は、床スラブ１の上側に該床スラブ１の上面から離隔して下地板２を設置し、その上側に防水シート６を敷設し、この防水シート６の上にセメント板７を貼り付け、さらにその上からタイル８を貼り付けることにより形成される。下地板２及び防水シート６は任意の大きさ及び平面形状とすることができる。下地板２に排水トラップ設置用開口１０が設けられ、該開口１０に排水トラップ１１が設置されている。排水トラップ１１のフランジ１７が開口１０の縁部に重ね合わされ、下地板２上から、このフランジ１７の高段部１７ｂよりも外周側の上面にかけて防水シート６が一連に敷設されている。防水シート６のうちフランジ１７に重なっている部分が押えプレート１８によって押え付けられている。押えプレート１８とフランジ１７とを貫いてビス２０が下地板２に螺じ込まれている。【選択図】図２
2006132198.tif 000002
【特許請求の範囲】
【請求項１】
トラップ設置用開口を有した下地板と、
該トラップ設置用開口の縁部に対し上方から重なったフランジを有する排水トラップ又は排水トラップが接続されたトラップ接続筒と、
該フランジを通して該下地板に打ち込まれたビスと
を有する床構造において、
該下地板上から該フランジの外周側の上面にかけて一連に敷設された防水シートと、
該フランジの上側に配置されており、該フランジとの間で該防水シートの縁部を挟持している環状の押えプレートと、
該押えプレートに上側から重なる環状の鍔部、及び、該鍔部の内周縁から垂下し、前記排水トラップ又はトラップ接続筒の内周面に重なる筒部を有してなるカバー筒と
を備えてなり、
該押えプレート及び前記フランジを貫いて前記ビスが前記下地板に螺じ込まれることにより該押えプレート及びフランジが下地板に固定されており、
該カバー筒の該鍔部が前記ビスの頭部を覆っていることを特徴とする床構造。
【請求項２】
請求項１において、前記フランジの上面のうち外周縁と内周縁との間に、外周側及び内周側よりも高位となる高段部が周設されており、
該高段部を貫通するビス孔が設けられ、
該ビス孔に前記ビスが挿通されており、
前記防水シートは、該高段部よりも外周側のフランジ上面に重なっていることを特徴とする床構造。
【請求項３】
請求項２において、該ビス孔にシール剤が充填されていることを特徴とする床構造。
【請求項４】
請求項１ないし３のいずれか１項において、前記フランジ、押えプレート及び鍔部は、それらの外周縁が上下で合致する大きさであり、
該押えプレートには、該フランジの前記ビス孔に重なり合う位置にビス挿通孔が設けられており、
前記ビスが該ビス挿通孔及びビス孔に挿通されていることを特徴とする床構造。
【請求項５】
請求項４において、前記下地板の前記トラップ設置用開口の縁部に前記フランジが係合した低段部が設けられており、
該フランジの外周側の上面は、周囲の下地板の上面と面一か又はそれよりも低位となっていることを特徴とする床構造。
【請求項６】
請求項１ないし５のいずれか１項において、前記カバー筒の前記鍔部の周囲において、前記防水シート上に床仕上げ材が設けられており、該鍔部の上面は該床仕上げ材の上面と面一か又はそれよりも低位となっていることを特徴とする床構造。
【請求項７】
請求項１ないし６のいずれか１項において、前記フランジは、前記トラップ設置用開口の縁部に対し有機系接着剤により接着されていることを特徴とする床構造。
【発明の詳細な説明】
【技術分野】
【０００１】
本発明は、排水トラップを有した床構造に係り、特に排水トラップ又はその接続筒のフランジをビスにて下地板に固定した床構造に関する。
【背景技術】
【０００２】
マンション等の建物に浴室を構築する場合、従来は防水パンが用いられている。この防水パンは、ガラス繊維等の補強繊維と各種フィラーを含有した合成樹脂（ＦＲＰ）製のものである。このＦＲＰ製防水パンに排水トラップが設けられている（例えば特開平８−２３２３１７号）。
【０００３】
なお、戸建て住宅の１階部分の浴室であれば、地盤上にコンクリートを流して床コンクリートを構築し、この上にタイル張りして浴室床を構築することができるが、集合住宅では、このような在来工法は防水性に不安があり、近年は殆ど採用されていない。なお、この在来工法は工期が長くなると共に、施工の手間もかかる。
【０００４】
特開平１１−６１９３３号には、床パンに開設されたトラップ設置孔の縁部上面に対しトラップ接続筒（同号公報では「トラップ取付部材」と称している。）のフランジ（同「外鍔片」）を重ね合わせ、該フランジを貫いてビスを床パンに螺じ込んで該トラップ接続筒を床パンに固定することが記載されている。
【特許文献１】特開平８−２３２３１７号公報
【特許文献２】特開平１１−６１９３３号公報
【発明の開示】
【発明が解決しようとする課題】
【０００５】
防水パンは規格工業製品であり、特定大きさ（例えば０．７５坪、１坪、１．５坪など）の方形平面視形状に限られてしまい、施主の希望通りの大きさ及び平面形状の浴室等を構築することができない。
【０００６】
特開平１１−６１９３３号の床パンにあっては、ビスが床パンの上面に露呈しているので、ビス周囲から床パン下側へ水が滲み出す如くして漏出するおそれがあり、防水性に不安がある。
【０００７】
本発明は、任意の大きさ及び平面形状を有し、しかも防水性にも優れた排水トラップ付き床を構築することができる床構造を提供することを目的とする。
【課題を解決するための手段】
【０００８】
本発明（請求項１）の床構造は、トラップ設置用開口を有した下地板と、該トラップ設置用開口の縁部に対し上方から重なったフランジを有する排水トラップ又は排水トラップが接続されたトラップ接続筒と、該フランジを通して該下地板に打ち込まれたビスとを有する床構造において、該下地板上から該フランジの外周側の上面にかけて一連に敷設された防水シートと、該フランジの上側に配置されており、該フランジとの間で該防水シートの縁部を挟持している環状の押えプレートと、該押えプレートに上側から重なる環状の鍔部、及び、該鍔部の内周縁から垂下し、前記排水トラップ又はトラップ接続筒の内周面に重なる筒部を有してなるカバー筒とを備えてなり、該押えプレート及び前記フランジを貫いて前記ビスが前記下地板に螺じ込まれることにより該押えプレート及びフランジが下地板に固定されており、該カバー筒の該鍔部が前記ビスの頭部を覆っていることを特徴とするものである。
【０００９】
請求項２の床構造は、請求項１において、前記フランジの上面のうち外周縁と内周縁との間に、外周側及び内周側よりも高位となる高段部が周設されており、該高段部を貫通するビス孔が設けられ、該ビス孔に前記ビスが挿通されており、前記防水シートは、該高段部よりも外周側のフランジ上面に重なっていることを特徴とするものである。
【００１０】
請求項３の床構造は、請求項２において、該ビス孔にシール剤が充填されていることを特徴とするものである。
【００１１】
請求項４の床構造は、請求項１ないし３のいずれか１項において、前記フランジ、押えプレート及び鍔部は、それらの外周縁が上下で合致する大きさであり、該押えプレートには、該フランジの前記ビス孔に重なり合う位置にビス挿通孔が設けられており、前記ビスが該ビス挿通孔及びビス孔に挿通されていることを特徴とするものである。
【００１２】
請求項５の床構造は、請求項４において、前記下地板の前記トラップ設置用開口の縁部に前記フランジが係合した低段部が設けられており、該フランジの外周側の上面は、周囲の下地板の上面と面一か又はそれよりも低位となっていることを特徴とするものである。
【００１３】
請求項６の床構造は、請求項１ないし５のいずれか１項において、前記カバー筒の前記鍔部の周囲において、前記防水シート上に床仕上げ材が設けられており、該鍔部の上面は該床仕上げ材の上面と面一か又はそれよりも低位となっていることを特徴とするものである。
【００１４】
請求項７の床構造は、請求項１ないし６のいずれか１項において、前記フランジは、前記トラップ設置用開口の縁部に対し有機系接着剤により接着されていることを特徴とするものである。
【発明の効果】
【００１５】
本発明の床構造にあっては、床が下地板とその上に敷設された防水シートとで構成されており、任意の大きさ及び平面視形状のものとすることができる。
【００１６】
本発明の床構造にあっては、排水トラップ又はトラップ接続筒のフランジが、下地板のトラップ設置用開口の縁部に重ね合わされ、下地板上からこのフランジの外周側の上面にかけて防水シートが一連に敷設されている。そして、この防水シートのうちフランジに重なっている部分が、環状の押えプレートによって押え付けられている。この押えプレート及び前記フランジを貫いてビスが下地板に螺じ込まれているので、防水シートが該押えプレートとフランジとでしっかりと挟持される。このため、フランジの外周縁の防水性が良好である。
【００１７】
この押えプレートの上側にカバー筒の鍔部が重なり、この鍔部がビス頭部を覆っている。そして、この鍔部の内周から垂下した筒部が排水トラップ又はトラップ接続筒の内周面に重なっている。このため、床からトラップ内に流れ込む水が押えプレートとフランジとの間に入り込むことが無く、この部分の防水性に優れる。
【００１８】
請求項２の床構造にあっては、フランジの高段部にビス孔が設けられているので、仮に、フランジの内周側に水が入ってきても、高段部によってそれよりも外周側に拡がることが阻止される。
【００１９】
また、この高段部よりも外周側に防水シートが重なっており、高段部には防水シートは重なっていないので、防水シートが高段部に乗り上げて上方に出っ張ることがない。従って、トラップ周囲からトラップに向って排水勾配が付けられることになり、床面の排水特性（水切れ）が良くなる。
【００２０】
請求項３の床構造にあっては、この高段部のビス孔にシール剤が充填されているので、ビス孔から水が漏れ出すことが確実に防止される。
【００２１】
請求項４の床構造にあっては、押えプレート及びフランジが、互いに重なり合った各々のビス挿通孔及びビス孔を介して共通のビスによって下地板に対し固定されるため、ビスの使用本数を少なくすることができる。また、押えプレート及びフランジに、予めビス孔及びビス挿通孔が重なり合う位置関係にて設けられているから、ビス打ち作業も容易である。
【００２２】
請求項５の床構造にあっては、フランジが低段部に対し係合するように配置され、このフランジの上面が周囲の下地板の上面と面一か又はそれよりも低位となっているので、トラップに向って排水勾配を付け易い。
【００２３】
請求項６の床構造は、タイル等の仕上げ材により、美観が高められると共に、防水シートが保護される。
【００２４】
また、請求項６の床構造にあっては、カバー筒の鍔部の上面がこの仕上げ材の上面と面一か又はそれよりも低位となっているので、トラップに向って排水勾配を付け易い。
【００２５】
請求項７の床構造にあっては、フランジが有機系接着剤でトラップ設置用開口の縁部に接着されているため、該有機系接着剤の防水機能により、この部分の防水性が高いものとなる。なお、この有機系接着剤としては、例えばエポキシ系接着剤、アクリル系接着剤、ゴム系接着剤などが挙げられる。
【発明を実施するための最良の形態】
【００２６】
以下に、図面を参照して本発明の実施の形態について説明する。第１図は実施の形態に係る床構造を示す縦断面図、第２図は第１図のII部分の拡大図、第３図は排水トラップの上面図、第４図はこの床構造の腰壁付近における縦断面図である。なお、第１図は第３図のＩ−Ｉ線に沿う断面図である。
【００２７】
この実施の形態では、建物の浴室等のコンクリート製床スラブ１の上側に、該床スラブ１の上面から離隔して下地板２が配設されている。該下地板２の下面からは、複数本の足ボルト（アジャスタボルト）３が下方に向って突設されており、この足ボルト３によって下地板２が所定の高さに支持されている。各足ボルト３は、下地板２の下面に設けられたナット３ａに螺着されており、各足ボルト３のナット３ａへのねじ込み量を調節することにより、下地板２の高さの調整や水平出しが行われる。
【００２８】
この下地板２は、任意の平面形状及び大きさに成形しうるものとなっている。この下地板２は、耐水性能を有する材質よりなることが好ましい。このような材質としては、例えば、樹脂板や樹脂含浸合板などが挙げられる。ただし、下地板２の材質はこれに限定されるものではなく、耐水性を有しない材質（例えば、ベニヤ板やパーチクルボードなど）により下地板２を構成してもよい。
【００２９】
この実施の形態では、それぞれ所定の形状及び大きさに成形された複数枚の下地板２を互いに突き合わせるようにして並設することにより、目的とする平面視形状の床下地を形成している。この床下地の外縁部に位置する下地板２は、第４図に示すように、側端面を室の周囲の壁面４に突き合わせるようにして配置されている。なお、図示の通り、該下地板２と壁面４との継ぎ目を封止するために、該下地板２の上面と壁面４とにまたがって防水テープ５が貼り付けられている。
【００３０】
このように配設された下地板２の上側に防水シート６が敷設されている。この防水シート６は、例えばＥＶＡシート等よりなるが、この防水シート６の材質に特に制限はない。この防水シート６は、長尺物を巻き取ったローラから巻き出して敷設されるものであり、カッター等を用いて容易に任意の平面形状及び大きさに裁断することができる。この防水シート６は、粘着テープ（図示略）等により下地板２の上面に貼り付けられている。
【００３１】
この実施の形態では、床下地の幅が防水シート６のロールの幅よりも大きいため、防水シート６を複数列並設して該床下地を覆っている。この際、隣り合う防水シート６を互いに突き合わせるようにして配列し、その上から防水テープ（図示略）を貼り付けて両者の継ぎ目を封止している。
【００３２】
この防水シート６の上側にセメント板７が敷設され、このセメント板７の上にタイル８が貼り付けられている。この実施の形態では、該セメント板７とタイル８とが床仕上げ材である。該セメント板７は、セメント質の芯板にメッシュシートを埋め込んでなるものである。このセメント板７も、カッター等を用いて容易に任意の平面形状及び大きさに裁断することができる。この実施の形態では、それぞれ所定の形状及び大きさに裁断された複数枚のセメント板７を互いに突き合わせるようにして並設することにより、１枚の該セメント板７よりも大面積の床下地を覆っている。
【００３３】
このセメント板７は、粘着テープや接着剤（図示略）等により防水シート６に貼り付けられている。また、タイル８も、粘着テープや接着剤等によりセメント板７に貼り付けられている。
【００３４】
なお、この実施の形態では、壁面４にもセメント板７が貼り付けられ、その上からタイル８が貼り付けられている。
【００３５】
この実施の形態では、床スラブ１の所定位置から排水管９が立ち上げられており、この排水管９の上側に配置された下地板２には、排水トラップ設置用の開口１０が設けられている。この開口１０に排水トラップ１１が設置され、該排水管９に接続されている。
【００３６】
排水トラップ１１は、上部が開放した容器形状のトラップ本体１２と、該トラップ本体１２の底部に設けられた流出口１３と、該流出口１３を取り囲むように該トラップ本体１２の底部上面から立設された周回壁状の溢流壁１４と、該溢流壁１４に対し上方から被さった封水椀１５と、該トラップ本体１２の底部下面から下方へ突設された、該流出口１３と排水管９とを接続するための排水管接続筒１６と、該トラップ本体１２の周壁部の上縁外周から全周にわたって側方へ突設されたフランジ１７と、該フランジ１７に対し上方から重ね合わされる環状の押えプレート１８とを有している。
【００３７】
この実施の形態では、第３図の通り、フランジ１７は略正方形の平面形状（外形）を有している。また、図示はしないが、該押えプレート１８はこのフランジ１７と略同じ平面形状及び大きさを有しており、該フランジ１７の上に押えプレート１８を重ね合わせたときに両者の外周縁部が上下に合致するようになっている。
【００３８】
フランジ１７の上面は、第２図の通り、その外周縁と内周縁との中間付近が該外周側及び内周側よりも一段高い高段部１７ｂとなっている。この高段部１７ｂは、第３図の通り、フランジ１７の外周縁（正方形の四辺）に沿って延在しつつ、トラップ本体１２の上部開口の周囲を周回している。
【００３９】
第２図の通り、押えプレート１８の下面のうち、フランジ１７の該高段部１７ｂよりも外周側の上面に重なる領域は、それよりも内周側の領域よりも下方へ張り出す凸段部１８ｂとなっており、押えプレート１８をフランジ１７の上に重ね合わせた場合には、この凸段部１８ｂの内周側の段差面に高段部１７ｂが係合するようになっている。
【００４０】
このフランジ１７に複数個のビス孔１７ａが設けられている。第２図に示すように、各ビス孔１７ａは高段部１７ｂを上下方向に貫通している。また、押えプレート１８には、該押えプレート１８をフランジ１７の上に重ね合わせたときにビス孔１７ａと同軸状に重なり合う位置関係にて複数個のビス挿通孔１８ａが設けられている。
【００４１】
前記開口１０は、この排水トラップ１１のうちトラップ本体１２の通過は許容するが、フランジ１７の通過は許容しない大きさである。下地板２の上面は、該開口１０の周縁部が周囲よりも低い低段部１９となっている。この低段部１９は、フランジ１７が上方から係合可能な大きさの略正方形の平面形状を有しており、その深さは、該フランジ１７の高段部１７ｂよりも外周側の厚みと同等か又はそれよりも若干大きなものとなっている。
【００４２】
排水トラップ１１は、下地板２に防水シート６を敷設する前に、あるいは少なくとも開口１０の周囲（低段部１９）を防水シート６で覆っていない状態にて、該開口１０に設置される。この場合、まず、排水管接続筒１６に排水管９を差し込みつつトラップ本体１２を上方から開口１０に挿入し、フランジ１７を低段部１９に係合させる。なお、排水管９の排水管接続筒１６への差し込みに際しては、該排水管９の外周面及び排水管接続筒１６の内周面にシール剤（図示略）を付着させておく。
【００４３】
次に、フランジ１７の全周にわたって、該低段部１９の周囲の下地板２の上面から該フランジ１７の高段部１７ｂよりも外周側の上面にかけて一連に防水シート６を敷設し、さらにその上から押えプレート１８をフランジ１７と同心状に重ねる。この際、凸段部１８ｂの内周側の段差面に高段部１７ｂを係合させると共に、フランジ１７の外周縁と押えプレート１８の外周縁とを上下に合致させる。次いで、該フランジ１７及び押えプレート１８の各ビス孔１７ａ及びビス挿通孔１８ａにシール剤（図示略）を充填した後、これらの孔１７ａ，１８ａを介して上方から下地板２にビス２０を打ち込む。このビス打ちにより、フランジ１７と押えプレート１８とが下地板２に固定されると共に、防水シート６が上方から押えプレート１８の凸段部１８ｂによって押え付けられてフランジ１７の上面及び押えプレート１８（凸段部１８ｂ）の下面に密着する。これにより、排水トラップ１１の設置が完了する。
【００４４】
このようにして設置された排水トラップ１１の上側にカバー筒２１が装着される。このカバー筒２１は、トラップ本体１２に内嵌する筒部２１ａと、該筒部２１ａの上縁外周から放射状に形成された鍔部２１ｂとを有している。該鍔部２１ｂは、フランジ１７及び押えプレート１８と略同じ平面形状及び大きさを有している。該鍔部２１ｂの周縁部には土手部２１ｃが形成されている。
【００４５】
このカバー筒２１を排水トラップ１１に装着するに当っては、上方から筒部２１ａをトラップ本体１２内に挿入し、鍔部２１ｂを押えプレート１８の上側に重ね合わせる。この際、鍔部２１ｂの外周縁と押えプレート１８の外周縁とを上下に合致させる。なお、該筒部２１ａの外周にはＯリング２１ｄが装着されており、該筒部２１ａとトラップ本体１２の内周面との間はこのＯリング２１ｄによって封止される。
【００４６】
なお、この実施の形態では、第１図に示す通り、該カバー筒２１が排水トラップ１１の上部に装着された状態において、該土手部２１ｃの上面が周囲のタイル８の上面と略面一かそれよりも低位となるよう構成されている。
【００４７】
かかる構成の床構造にあっては、下地板２及び防水シート６を任意の大きさ及び平面形状とすることができる。従って、この床構造によれば、任意の大きさ及び形状の、防水性を有する床を構築することができる。
【００４８】
この床構造にあっては、排水トラップ１１のフランジ１７が開口１０の縁部に重ね合わされ、下地板２上からこのフランジ１７の高段部１７ｂよりも外周側の上面にかけて防水シート６が一連に敷設されている。そして、この防水シート６のうちフランジ１７に重なっている部分が押えプレート１８によって押え付けられている。この押えプレート１８とフランジ１７とを貫いてビス２０が下地板２に螺じ込まれているので、防水シート６が該押えプレート１８とフランジ１７とによってしっかりと挟持される。このため、フランジ１７の外周縁の防水性が良好である。
【００４９】
また、この床構造にあっては、該押えプレート１８の上側にカバー筒２１の鍔部２１ｂが重なり、この鍔部２１ｂがビス２０の頭部を覆っている。そして、この鍔部２１ｂの内周から垂下した筒部２１ａがトラップ本体１２の内周面に重なっている。このため、床からトラップ本体１２内に流れ込む水が押えプレート１８とフランジ１７との間に入り込むことが無く、この部分においても防水性に優れる。
【００５０】
この実施の形態では、フランジ１７の高段部１７ｂにビス孔１７ａが設けられているので、仮に、フランジ１７の内周側に水が入ってきても、高段部１７ｂによって水がそれよりも外周側へ拡がることが防止される。
【００５１】
また、この高段部１７ｂよりも外周側に防水シート６が重なっており、高段部１７ｂには防水シート６は重なっていないので、防水シート６が高段部１７ｂに乗り上げて上方に出っ張ることがない。従って、排水トラップ１１の周囲から排水トラップ１１内に向って排水勾配が付けられることになり、床面の排水性（水切れ）が良くなる。
【００５２】
この実施の形態では、各ビス孔１７ａ及びビス挿通孔１８ａにシール剤が充填されているので、これらの孔１７ａ，１８ａから水が漏れ出すことが確実に防止される。
【００５３】
この実施の形態では、押えプレート１８及びフランジ１７が共通のビス２０によって下地板２に対し固定されているので、使用するビス２０の本数が少なくて済む。また、押えプレート１８及びフランジ１７に、予めビス孔１７ａとビス挿通孔１８ａとが互いに重なり合う位置関係にて設けられているので、ビス打ち作業も容易である。
【００５４】
なお、フランジ１７の固定方法はビス留めに限定されるものではなく、ビス２０の代わりに粘着テープや接着剤又は粘着剤等を用いてフランジ１７を固定してもよい。この場合、例えば、排水トラップ１１の工場出荷時に予めフランジ１７の裏面に粘着剤層を形成しておくと共に、この粘着剤層に剥離紙を張り付けておき、排水トラップ１１の設置時にはこの剥離紙を剥して該粘着剤によりフランジ１７を下地板２に接着するようにしてもよい。また、粘着剤等によりフランジ１７を仮固定した後、ビス２０を打ち込んで本固定してもよい。このようにすることにより、ビス打ち時にフランジ１７が位置ズレせず、位置決め精度が高いものとなる。
【００５５】
フランジ１７を接着剤で下地板２に接着する場合、この接着剤として有機系接着剤を用いることが好ましい。この有機系接着剤は防水機能を有しているので、フランジ１７と下地板２との接合部の防水性が高いものとなる。この有機系接着剤としては、例えば、エポキシ系接着剤、アクリル系接着剤、ゴム系接着剤などが挙げられるが、これに限定されるものではない。
【００５６】
なお、この有機系接着剤を用いてフランジ１７を下地板２に仮固定しておき、ビス２０を打ち込むようにしてもよい。このようにすることにより、フランジ１７の位置決め精度とこの部分の防水性の双方が向上する。
【００５７】
この実施の形態では、方形のフランジ１７が方形の低段部１９に係合するように配置されるため、排水トラップ１１を、その向きが確実に所定方向となるように設置することができる。
【００５８】
また、この低段部１９の深さはフランジ１７の厚さと同等か又はそれ以上の大きさとなっているので、該低段部１９内に係合したフランジ１７の上面は周囲の下地板２の上面と面一か又はそれよりも低位となる。このため、排水トラップ１１に向って排水勾配を付け易い。
【００５９】
この実施の形態では、セメント板７及びタイル８で床仕上げを施したことにより、床の美観が高められると共に、防水シート６が保護される。
【００６０】
この実施の形態では、カバー筒２１の鍔部２１ｂ（土手部２１ｃ）の上面がタイル８の上面と面一かそれよりも低位となっているので、排水トラップ１１に向って排水勾配を付け易い。
【００６１】
なお、本発明においては、排水トラップの材質に特に制限はなく、例えば鋳鉄等の金属製であってもよく、ＦＲＰ（繊維強化合成樹脂）等の合成樹脂製であってもよい。排水トラップを合成樹脂製とすることにより、排水トラップの軽量化や製造原価の低減を図ることができる。ユニットバス用等の市販の普及タイプの合成樹脂製排水トラップを利用することにより、さらにコストを下げることもできる。
【００６２】
第５図は別の実施の形態に係る床構造の縦断面図である。
【００６３】
この実施の形態では、床スラブ１の上面に沿って排水管９Ａが配設され、その上側に、下地板２が足ボルト３によって該床スラブ１の上面から所定高さに支持されるようにして設置されている。該排水管９Ａは、床スラブ１の上面から離隔して所定高さに配置されている。この実施の形態では、該下地板２の排水トラップ設置用の開口１０にトラップ接続筒３０が装着され、このトラップ接続筒３０に排水トラップ１１Ａが取り付けられている。
【００６４】
該トラップ接続筒３０は、開口１０に挿入される筒本体３１と、該筒本体３１の上縁外周から全周にわたって側外方へ突設されたフランジ３２と、該筒本体３１の下縁内周から該筒本体３１の中心方向へ突設された内向き鍔部３３とを有している。この実施の形態でも、下地板２の上面には、開口１０を取り囲むように周囲より一段低い低段部１９が形成されており、フランジ３２は、この低段部１９に対し上方から係合しうるよう構成されている。該低段部１９の深さは、この実施の形態でも、フランジ３２の厚さと同等かそれよりも大きいものとなっている。内向き鍔部３３の内周径は、後述の封水筒３８の筒部３８ａの外径と同等かそれよりも大きいものとなっている。
【００６５】
排水トラップ１１Ａは、上部が開放した容器状のトラップ本体３４と、該トラップ本体３４の側面（周壁部）に設けられた流出口３５と、該トラップ本体３４の底部から上方へ立設された周回壁状の溢流壁３６と、該トラップ本体３４の上縁内周から該トラップ本体３４の中心方向へ突設された内向き鍔部３７と、該内向き鍔部３７の内側開口を介して上方から該溢流壁３６の内側へ挿入される封水筒３８と、該流出口３５と同心状に該トラップ本体３４の側面から側方へ突設された排水管接続筒３９とを有している。
【００６６】
該内向き鍔部３７の内周径は、前記トラップ接続筒３０の下端の内向き鍔部３３の内周径と略同等となっている。封水筒３８は、この内向き鍔部３７の内側開口を介して溢流壁３６の内側へ挿入される筒部３８ａと、該筒部３８ａの上縁外周から側外方へ突設された外向き鍔部３８ｂとを有している。
【００６７】
この排水トラップ１１Ａは、下地板２が設置される前に、排水管接続筒３９を介して排水管９Ａに接続される。この接続に際しては、排水管接続筒３９の内周面及び排水管９Ａの外周面にシール剤を付着させておき、該排水管接続筒３９内に排水管９Ａを差し込む。
【００６８】
この排水トラップ１１Ａを排水管９Ａに接続した後、床スラブ１の上側に下地板２を設置する。この際、開口１０が設けられた下地板２は、該開口１０がトラップ本体３４の上面の内向き鍔部３７の内側開口と略同心状に重なるように配置される。
【００６９】
次に、この下地板２の上側に防水シート６を敷設する前に、あるいは少なくとも開口１０の周囲（低段部１９）を防水シート６で覆っていない状態にて、トラップ接続筒３０の筒部３１を上方から該開口１０に挿入し、該筒部３１の下端の内向き鍔部３３を前記内向き鍔部３７の上に重ね合わせると共に、上端の外向きフランジ３２を開口１０の周囲の低段部１９に係合させる。なお、筒部３１を開口１０に挿入するに際し、鍔部３７の上面又は鍔部３３の下面にパッキン（符号略）を配置しておき、該鍔部３３，３７同士の間にこのパッキンを介在させる。その後、該鍔部３３，３７同士を貫くようにビス（図示略）打ちして両者を結合する。ただし、この鍔部３３，３７同士の結合方法はこれに限定されるものではなく、接着剤等を用いてもよい。
【００７０】
次に、低段部１９に係合したフランジ３２の全周にわたって、該低段部１９の周囲の下地板２の上面から該フランジ３２の上面にかけて一連に防水シート６を重ね、さらにその上から押えプレート１８をフランジ３２と同心状に重ねる。
【００７１】
その後、上方から該押えプレート１８及び該フランジ３２を貫くようにして下地板２にビス（図示略）を打ち込む。このビス打ちにより、フランジ３２と押えプレート１８とが下地板２に固定されると共に、防水シート６が上方から押えプレート１８によって押え付けられてフランジ３２の上面及び押えプレート１８の下面に密着する。これにより、トラップ接続筒３０の開口１０への装着及び該トラップ接続筒３０と排水トラップ１１Ａとの接続が完了する。なお、この実施の形態でも、該フランジ３２を接着剤で下地板２に接着してもよく、接着剤で仮固定した後、ビス打ちしてもよい。
【００７２】
その後、該鍔部３３，３７の内側開口に上方から封水筒３８の筒部３８ａを差し込み、該筒部３８ａを溢流部３６の内側に挿入すると共に、該筒部３８ａの上端の外向き鍔部３８ｂを鍔部３３の上側に重ねる。なお、この筒部３８ａの差し込みに際しては、該鍔部３３の上側又は鍔部３８ｂの下側にパッキン（符号略）を配置しておき、該鍔部３３，３８ｂ同士の間にこのパッキンを介在させる。
【００７３】
この実施の形態では、カバー筒２１は、トラップ接続筒３０の上部に装着される。この装着に際しては、該カバー筒２１の筒部２１ａを上方からトラップ接続筒３０内に差し込み、鍔部２１ｂを押えプレート１８の上側に被せる。この際、該筒部２１ａの外周に装着されたＯリング２１ｄが該筒部２１ａの外周面とトラップ接続筒３０の内周面との間を封止する。
【００７４】
なお、この実施の形態でも、該カバー筒２１がトラップ接続筒３０の上部に装着された状態において、土手部２１ｃの上面が周囲のタイル８の上面と略面一かそれよりも低位となるよう構成されている。
【００７５】
この床構造のその他の構成は前述の第１〜４図の防水床構造と同様となっており、同一符号は同一部分を示している。
【００７６】
この実施の形態でも、開口１０に装着されたトラップ接続筒３０のフランジ３２の上に防水シート６が重なっているので、トラップ接続筒３０回りの水仕舞いが良好である。しかも、この実施の形態でも、このフランジ３２が該フランジ３２の厚みと同等かそれよりも大きい深さを有する低段部１９内に配置されており、該フランジ３２の上面が周囲の下地板２の上面と略面一か又はそれよりも低位となっているので、トラップ接続筒３０の周囲から該トラップ接続筒３０内に向って排水勾配を付け易く、該トラップ接続筒３０の周囲の水切れを良好なものとすることができる。
【００７７】
第６図及び第７図はさらに別の実施の形態に係る床構造の縦断面図である。なお、第６図はトラップ接続筒の長さを大きくした状態を示し、第７図はトラップ接続筒の長さを小さくした状態を示している。
【００７８】
この実施の形態でも、床スラブ１の上面に沿って排水管９Ａが配設され、その上側に、下地板２が足ボルト３によって該床スラブ１の上面から所定高さに支持されるようにして設置されている。該排水管９Ａは、床スラブ１の上面から離隔して所定高さに配置されている。また、この実施の形態でも、該下地板２の排水トラップ設置用開口１０にトラップ接続筒３０Ａが装着され、このトラップ接続筒３０Ａに排水トラップ１１Ａが取り付けられている。
【００７９】
この実施の形態では、トラップ接続筒３０Ａは、該開口１０に挿通される筒部３１Ａが上下方向に伸縮可能となっている。詳しくは、該筒部３１は、外筒４１と、該外筒４１の下端側に同軸状に且つ挿抜方向摺動自在に内嵌した内筒４２とを有している。該内筒４２を外筒４１の下端から下方へ引き出したり、上方へ押し込んだりすることにより、筒部３１Ａを上下方向に伸縮させることができる。
【００８０】
なお、該外筒４１の下縁内周には、該外筒４１の中心側へ張り出す凸段部（符号略）が形成され、内筒４２の上縁外周には、側外方へ張り出す凸段部（符号略）が設けられている。内筒４２が下方へ所定量引き出されると、これらの凸段部同士が当り、内筒４２の外筒４１からの抜け落ちが防止される。また、内筒４２の凸段部の外周面にはＯリング（符号略）が装着されており、このＯリングによって該内筒４２の外周面と外筒４１の内周面との間の隙間がシールされている。
【００８１】
この実施の形態では、該外筒４１の上縁外周から側外方へフランジ３２が突設され、内筒４２の下縁内周から該内筒４２の中心側へ内向き鍔部３３が突設されている。
【００８２】
この実施の形態に係る防水床構造のその他の構成は前述の第５図の防水床構造と同様となっている。
【００８３】
この床構造におけるトラップ接続筒３０Ａの設置方法を以下に説明する。
【００８４】
この実施の形態でも、排水管９Ａに排水トラップ１１Ａを接続してから床スラブ１の上側に下地板２を設置する。そして、この下地板２の上側に防水シート６を敷設する前に、あるいは少なくとも開口１０の周囲（低段部１９）を防水シート６で覆っていない状態にて、トラップ接続筒３０Ａの筒部３１Ａを上方から該開口１０に挿入し、該筒部３１Ａ（外筒４１）の上端のフランジ３２を該開口１０の周囲の低段部１９に係合させる。この際、外筒４１の下端からの内筒４２の繰り出し量を調節して該内筒４２の下端の鍔部３３をトラップ本体３３の上面の鍔部３７に重ね合わせる。
【００８５】
なお、筒部３１Ａを開口１０に挿入するに際し、鍔部３７の上面又は鍔部３３の下面にパッキン（符号略）を配置しておき、該鍔部３３，３７同士の間にこのパッキンを介在させる。
【００８６】
その後、該鍔部３３，３７同士を貫くようにビス（図示略）打ちして両者を結合する。ただし、ビスの代わりに接着剤を用いてもよい。
【００８７】
これにより、トラップ接続筒３０Ａと排水トラップ１１Ａとの接続が完了する。
【００８８】
次に、低段部１９に係合したフランジ３２の全周にわたって、該低段部１９の周囲の下地板２の上面から該フランジ３２の上面にかけて上方から防水シート６を重ね、さらにその上から押えプレート１８をフランジ３２と同心状に重ねる。
【００８９】
その後、上方から該押えプレート１８及びフランジ３２を貫くようにして下地板２にビス（図示略）を打ち込む。このビス打ちにより、フランジ３２と押えプレート１８とが下地板２に固定されると共に、防水シート６が上方から押えプレート１８によって押え付けられてフランジ３２の上面及び押えプレート１８の下面に密着する。なお、この実施の形態でも、該フランジ３２を接着剤で下地板２に接着してもよく、接着剤で仮固定した後、ビス打ちしてもよい。
【００９０】
これにより、トラップ接続筒３０Ａの開口１０への装着が完了する。
【００９１】
かかる構成の床構造にあっては、トラップ接続筒３０Ａの筒部３１Ａを上下方向へ伸縮させることにより、排水管９Ａの高さと排水トラップ１１Ａの流出口３５の高さとを容易に合致させることができる。
【００９２】
上記の各実施の形態はいずれも本発明の一例を示すものであり、本発明は上記の各実施の形態に限定されるものではない。
【００９３】
例えば、床仕上げ材としてタイル以外の仕上げ材、例えばモルタル等の湿式床仕上げ材を用いてもよい。
【００９４】
排水トラップ及びトラップ接続管のフランジ、並びにトラップ設置用開口の周囲の低段部の形状は、方形に限定されるものではなく、円形その他の種々の形状とすることができる。
【図面の簡単な説明】
【００９５】
【図１】実施の形態に係る床構造を示す縦断面図である。
【図２】図１のII部分の拡大図である。
【図３】排水トラップの上面図である。
【図４】図１の床構造の腰壁付近における縦断面図である。
【図５】別の実施の形態に係る床構造の縦断面図である。
【図６】さらに別の実施の形態に係る床構造の縦断面図である。
【図７】さらに別の実施の形態に係る床構造の縦断面図である。
【符号の説明】
【００９６】
１  床スラブ
２  下地板
３  足ボルト
４  壁面
５  防水テープ
６  防水シート
７  セメント板
８  タイル
９，９Ａ  排水管
１０  排水トラップ設置用開口
１１，１１Ａ  排水トラップ
１７  フランジ
１７ａ  ビス挿通孔
１７ｂ  高段部
１８  押えプレート
１８ａ  ビス挿通孔
１９  段部
２１  カバー筒
２１ａ  筒部
２１ｂ  鍔部
３０，３０Ａ  トラップ接続筒
３１，３１Ａ  筒部
３２  フランジ
３３  内向き鍔部
４１  外筒
４２  内筒
【図１】
2006132198.tif 000003
【図２】
2006132198.tif 000004
【図３】
2006132198.tif 000005
【図４】
2006132198.tif 000006
【図５】
2006132198.tif 000007
【図６】
2006132198.tif 000008
【図７】
2006132198.tif 000009